(57)【要約】【課題】生活の場としての居間等の部屋に、必要に応じて良好な遮光性と遮音性とを備えることを可能とし、また、部屋の内装物としても劣らない意匠を備えることのできる、遮光・遮音構造物としての内戸を提案する。【解決手段】建物の屋内外を連通する開口部１３を有する部屋内に備えられた単数若しくは複数のパネル１１で内戸１０を構成し、各構成パネル１１を部屋の床３１から天井３０までの高さと略同等の高さを備えたものとした。また、各構成パネル１１を開口部１３近傍且つ開口部１３に嵌設されたサッシ１５と略平行に配置するとともに、サッシ１５と略平行に移動可能として開口部１３の一側方に積層した状態で収納可能とした。さらに、最も屋内側に位置するパネル１１（１１ｃ）を、その戸尻２６を屋外側に突出させた平面視Ｌ字状とし、戸当たり及び戸袋として機能させた。【選択図】      図１
2004270278.tif 000002
【特許請求の範囲】
【請求項１】
建物の屋内外を連通する開口部を有する部屋内に備えられた単数若しくは複数のパネルで構成される戸であって、パネルを部屋の床から天井までの高さと略同等の高さを備えたものとし、該パネルを開口部に嵌設されたサッシと略平行であって該開口部が形成された屋外側壁の内面に近接して配置するとともに、該サッシと略平行に移動可能としたことを特徴とする内戸。
【請求項２】
前記内戸を構成するパネルを、開口部の屋内側の一側方であって該開口部と重複しない位置に積層した状態で収納可能とした、請求項１に記載の内戸。
【請求項３】
前記内戸を構成する最も屋内側に位置するパネルの戸尻を、パネル面に対して略直交方向に屋外側に突出させ、該パネルを平面視Ｌ字状に形成した、請求項１又は請求項２に記載の内戸。
【請求項４】
前記内戸を構成するパネルを、屋内側面を化粧シート張りリブ形状材とし、屋外側面を化粧シート張りシート状スポンジ材とするフラッシュ戸とした、請求項１乃至請求項３のいずれかに記載の内戸。
【発明の詳細な説明】
【０００１】
【発明の属する技術分野】
本発明は、室内空間と室外空間とを連通する開口部に設けられる遮音及び遮光用構造物に関する。
【０００２】
【従来の技術】
従来、住宅等において、室内空間で発される音楽や音、話し声等を室外空間に漏れないようにするために、また、屋外の騒音を屋内に対して遮断するために、壁は吸音材や防音材が介装されて構成されて遮音性が高められている。
しかし、屋内と屋外とを連通する開口部にはサッシが設けられ、ガラス窓が嵌め込まれていることが多く、ガラス窓とサッシとの間の気密性を高めたり、サッシに防音材が備えられたりすることによって遮音性が備えられたとしても、十分に音を遮断することができない。
そこで、従来、ガラス戸（窓）の屋内側に密度の高い布より成るカーテンを張設したり、二枚のガラス板を積層して成る二重ガラス戸（窓）としてガラス戸（窓）のガラス部分の遮音性を高めたり、雨戸やシャッターとは別に遮音用の戸を屋内と屋外とを連通する開口部に設けたりしている。
【０００３】
また、特に近年ではホームシアターシステムの普及により、住宅にホームシアター用ルームを備えたものが見られる。このホームシアター用ルームでは、室内の音を室外に漏らさないようにするために遮音性が必要とされることはもちろん、スクリーンやテレビ等の画面に屋外からの光が差し込むことのないように高い遮光性が求められている。
【０００４】
このような状況に対し、戸やドアや窓等の、屋内と屋外とを連通する開口部や、室内と室外とを連通する開口部に嵌められたサッシの内外に、開閉可能な戸や扉が備えられて、防音性や遮音性が高められている。
例えば、屋外側に設けられたルーバー状の遮光戸や、室内側に設けられた障子戸・簀戸等は、開口部に遮光性を備えるものとして設けられている。また、例えば、屋外側に設けられた雨戸・鎧戸・シャッター等は、開口部に防音性や断熱性、遮光性、防犯性を備えるものとして設けられている。
これらの一例として、特許文献１に記載の技術では、屋内外を連通する開口部に設けられたサッシに取り付けられたガラス窓と略平行であって、屋外側に、遮光性と通気性とを備えたスクリーンが張設された障子が設けられている。また、特許文献２に記載の技術では、屋内外を連通する開口部に二組の平行に配置された引き戸を設けて防音戸としている。
【０００５】
また、遮音性を高める構造として、室内外を連通する開口部に備えられる戸（例えば、間仕切り壁に設けられたスライドドア等）には、吊り戸式としながらも室内と室外との遮音性を高めるために、特許文献３に記載の技術のように、サッシと戸の間にシール材を設ける構造が提案されている。
【０００６】
【特許文献１】
特開平７−１２７３４５号公報
【特許文献２】
特開平７−２６９２４３号公報
【特許文献３】
特開２００１−１７３３２８号公報
【０００７】
【発明が解決しようとする課題】
しかし、屋内外を連通する開口部に遮光のために設けられた従来の遮光戸や障子戸等の遮光機能では、特に、ホームシアター用ルームにおいて必要とされる高い遮光性に至らず、戸の周囲から光が屋内側に漏れ入ったり、戸から光が透けて入ったりすることがある。
本発明では、上述の従来技術に鑑み、生活の場としての居間等の部屋に、必要に応じて良好な遮光性と遮音性とを備えることを可能とし、また、部屋の内装物としても劣らない意匠を備えることのできる、遮光・遮音構造物としての内戸を提案する。
【０００８】
【課題を解決するための手段】
本発明の解決しようとする課題は以上の如くであり、次にこの課題を解決するための手段を説明する。
【０００９】
即ち、請求項１においては、建物の屋内外を連通する開口部を有する部屋内に備えられた単数若しくは複数のパネルで構成される戸であって、パネルを部屋の床から天井までの高さと略同等の高さを備えたものとし、該パネルを開口部に嵌設されたサッシと略平行であって該開口部が形成された屋外側壁の内面に近接して配置するとともに、該サッシと略平行に移動可能としたものである。
【００１０】
請求項２においては、前記内戸を構成するパネルを、開口部の屋内側の一側方であって該開口部と重複しない位置に積層した状態で収納可能としたものである。
【００１１】
請求項３においては、前記内戸を構成する最も屋内側に位置するパネルの戸尻を、パネル面に対して略直交方向に屋外側に突出させ、該パネルを平面視Ｌ字状に形成したものである。
【００１２】
請求項４においては、前記内戸を構成するパネルを、屋内側面を化粧シート張りリブ形状材とし、屋外側面を化粧シート張りシート状スポンジ材とするフラッシュ戸としたものである。
【００１３】
【発明の実施の形態】
次に、発明の実施の形態を説明する。
図１は本発明に係る内戸の設置状況の一例を示す図である。
図２は本発明に係る内戸の構成を示す平面略図、図３は内戸を構成するパネルの側面断面図、図４は内戸を構成するパネルの平面断面図、図５は内戸を構成する最も屋内側に位置するパネルの平面断面図、図６は内戸を収納したときの様子を示す平面略図である。
図７は内戸の別実施例を示す図、である。図８は内戸の構成を示す平面略図、図９は（ａ）左側のパネルを示す平面断面図、（ｂ）右側のパネルを示す平面断面図である。
【００１４】
本発明に係る内戸１０は、遮音及び遮光を目的として、屋内空間と屋外空間とを連通する開口部１３であって、該開口部１３に嵌設されるサッシ１５よりも屋内側に設けられている。
内戸１０は、従来の内窓とは異なり、屋内空間と屋外空間とを連通する開口部１３に嵌設されたサッシ１５と平行に設けられているが、サッシ１５に嵌め込まれているものではなく、また、その幅をサッシ１５の幅（開口部１３の幅）に限定されることなく、サッシ１５から独立して部屋内に設けられている。
【００１５】
本実施例においては、図１に示す如く、居間等の屋外への開口部１３を有する部屋に、遮光性と遮音性を備えるために、内戸１０を設けている。内戸１０は、部屋に設けられた屋外空間との開口部１３に設けられた引き違いガラス戸１４の屋内側Ｑに、該ガラス戸１４と略平行に配置されて、部屋の床３１から天井３０までの高さを有している。
但し、内戸１０の配置状況は本実施例に限定されるものではなく、広く、屋内と屋外との開口部１３に設けて、遮光機能及び遮音機能を発揮させることができる。
【００１６】
図１及び図２に示す如く、内戸１０は複数のパネル１１・１１・１１を連設して構成された片引き戸としている。本実施例においては、内戸１０は三連のパネル１１・１１・１１より構成しているが、これに限定されるものではなく、内戸１０を構成するパネル１１の数は、開口部１３の大きさに合わせて、単数枚とすることも、また、複数枚とすることもできる。
【００１７】
図３乃至図５に示す如く、内戸１０を構成する各パネル１１・１１・１１はフラッシュパネルであって、屋内側面２２はリブ（凹凸）が形成され、化粧シートによりその表面が装飾されている。パネル１１の屋内側面２２は、該パネル１１が設置される部屋内の雰囲気を損ねることのない意匠が施されるとともに、その屋内側面２２に形成されたリブによって音の反射が抑制されている。
一方、パネル１１の屋外側面２１は、表面を化粧シートにより覆われたシート状スポンジ材が張設されている。シート状スポンジ材によって、パネル１１に吸音性が備えられている。
上述の如くパネル１１の屋外側面２１及び屋内側面２２を装飾している化粧シートは張り替えることが可能であり、部屋の内部意匠に応じて適した意匠のものを選択することができ、部屋の内装の一部として内戸を備えるために劣ることのない意匠性を備えることができる。そして、経年変化により汚れが目立つようになれば、化粧シートは壁紙と同様に張り替えることができる。
【００１８】
また、各パネル１１は、該パネル１１の上部に突設された摺動ブロック３４が、部屋の天井３０に設けられたレール３６に嵌入されて、摺動可能とされている。
一方、各パネル１１の下部には、開口部１３に嵌設されたサッシ１５と略平行に部屋の床３１部に設けた下レール１２に嵌入することのできるガイド突起３８がパネル１１下面の長尺方向にわたって形成されるとともに、該ガイド突起３８の左右両側には戸車３５・３５が設けられている。ガイド突起３８が下レール１２に嵌入された状態で、該下レール１２に沿って移動することによって、パネル１１の移動時に面方向の振れが抑制されるとともに、パネル１１と部屋の床３１との間の間隙が閉塞されることによって、遮光性と遮音性が高められている。
なお、下レール１２のガイド突起３８の嵌入部分には、繊毛３７が付設されており、該繊毛３７によってガイド突起３８と下レール１２との間隙が閉塞されて遮音性が高められている。
【００１９】
上述の構成により、各パネル１１・１１・１１は、サッシ１５及び該サッシ１５に嵌設されたガラス戸１４と略平行に水平方向に摺動することができる。また、各パネル１１・１１・１１は略平行に配置され、それぞれ異なるレールを摺動するようにされている。本実施例においては、内戸１０を構成するパネル１１は三枚であるため、内戸１０のために三本のレール３６・３６・３６・１２・１２・１２が部屋の天井３０と床３１とにそれぞれ設けられている。
【００２０】
図４に示す如く、最も屋外側Ｐに位置するパネル１１（１１ａ）と、間に位置するパネル１１（１１ｂ）とは、同様の構成とされている。これらのパネル１１は、戸先２３に引手２７が形成されており、同じく戸先２３の屋外側Ｐにシール部材２５がパネル１１の上下にわたって取り付けられている。
また、最も屋内側Ｑに位置するパネル１１（１１ｃ）の戸先２３には引手２７が形成されており、同じく戸先２３の屋外側Ｐにシール部材２５がパネル１１の上下にわたって取り付けられている。そして、戸尻２６にはパネル１１屋外側Ｐに突出する戸当たり部２８が設けられて、戸当たり２９が形成されている。すなわち、最も屋内側Ｑに位置するパネル１１は、平面視Ｌ字状に形成されていることとなる。
【００２１】
各パネル１１に備えられた前記シール部材２５は、遮音性及び遮光性を高めるために取り付けられており、該シール部材２５・２５・・・により、内戸１０を構成するパネル１１・１１・１１を展開したときに、パネル１１・１１・１１同士の召合わせ部の間隙が閉塞され、パネル１１・１１・１１同士の召合わせ部より屋内側Ｑに光が漏れ入ったり、音が屋外側Ｐに漏れたりすることのないようにされている。
【００２２】
なお、図２に示す如く、開口部１３の屋内側Ｑには額縁１８が備えられている。そして、該額縁１８の屋内側Ｑには、部屋の壁１９との間に亘って付枠１７が取り付けられている。該付枠１７は、内戸１０を構成するパネル１１・１１・１１を展開したときに、最も屋外側Ｐに位置するパネル１１（１１ａ）に備えられたシール部材２５と接触することにより、また、最も屋内側Ｑに位置するパネル１１（１１ｃ）の戸当たり部２８が当接することにより、パネル１１と額縁１８の間隙を閉塞している。そして、この付枠１７と戸当たり部２８の当たり面にはシール部材を設けることもできる。
【００２３】
前記内戸１０は通常収納された状態にあり、遮音や遮光等の必要に応じてパネル１１を展開して遮音性及び遮光性を備えた内戸１０として機能させることができる。
図７に示す如く、内戸１０は、サッシ１５の設けられた開口部１３に対して一側であって開口部１３と重複しない位置にパネル１１を重ねた状態で収納することができ、このときの各パネル１１の位置を収納位置とする。
内戸１０を収納するときには、最も屋内側Ｑに位置するパネル１１（１１ｃ）は、所定の収納位置（本実施例においては上レール３６及び下レール１２の一側端部）まで摺動することができ、その他のパネル１１（１１ａ・１１ｂ）は、最も屋内側Ｑに位置するパネル１１（１１ｃ）に形成された戸当たり２９に当接した状態となる収納位置まで摺動することができる。このようにして各パネル１１が収納位置まで移動した状態では、最も屋内側Ｑに位置するパネル１１（１１ｃ）と部屋の壁１９とによって形成された空間内にパネル１１が収納されることとなる。
【００２４】
最も屋内側Ｑに位置するパネル１１に形成した戸当たり部２８を、他のパネル１１のための戸当たり２９として機能させることによって、部屋の内部に独立して戸当たりを形成する必要がなく、また、最も屋内側Ｑに位置するパネル１１が戸袋としての機能を果たすこととなり部屋の内部に独立して戸袋を設ける必要がない。従って、部屋の内装の雰囲気を損ねることなく、内戸１０を配設することができる。
【００２５】
また、最も屋内側Ｑに位置するパネル１１（１１ｃ）をＬ字状に形成することで、開口部１３よりパネル１１の側方を通って入り込もうとする光を遮断することができ、内戸１０に優れた遮光性を備えることができる。従って、開口部１３の屋内側Ｑに内戸１０を備えることによって、開口部１３にカーテンを備えるときと比較して、格段に良好な遮光性を備えることができる。
特に、ホームシアター用ルームに内戸１０を採用すると、良好な遮光性と、良好な遮音性を必要に応じて備えることができ、ホームシアター用ルームとして適した環境を提供することができる。
【００２６】
なお、上記実施例においては、内戸１０は部屋の床３１から天井３０までの高さを有するように構成されているが、部屋に設けられた開口部１３の状態により変更することができる。また、内戸１０を形成する各パネル１１・１１・・・の構成は前記配置及び構成に限定されるものではなく、パネル１１・１１・・・を略同一直線上に配置することができる。
【００２７】
例えば、図７に示す如く、開口部１３を腰窓として、該腰窓を屋内側Ｑから覆うように内戸１０を設け、開口部１３の左右両側方にパネル１１・１１を収納する両引き戸とすることもできる。
図８にも示す如く、開口部１３に嵌設されたサッシ１５よりも屋内側Ｑであって、該サッシ１５と略平行にレール１２が設けられている。レール１２は、開口部１３の屋内側Ｑを縁取っている額縁１８と、該額縁１８よりも屋内側Ｑであって、屋内側Ｑの壁４１と開口部１３との境界に設けられた飾縁４０との間を通るように配置されている。そして、この壁４１と、額縁１８に連続する壁１９との間であって、開口部１３の両側方に戸袋が形成されて、該戸袋内にパネル１１・１１が収納される。
【００２８】
そして、屋内側Ｑから見て左右のパネル１１（１１Ｌ）・１１（１１Ｒ）は、図９（ａ）（ｂ）に示す如く、略対称であって、同一のレール１２上を摺動して移動するように構成されている。各パネル１１Ｌ・１１Ｒの戸尻２６・２６において屋内側Ｑには、シール部材２５・２５が該パネル１１Ｌ・１１Ｒの上下にわたって設けられており、また、右側のパネル１１Ｒの戸先２３の戸当たり面にはパッキン４２がパネル１１Ｒの上下にわたって取り付けられている。このシール部材２５・２５やパッキン４２は、左右のパネル１１Ｌ・１１Ｒを戸袋より引き出して開口部１３を覆ったときに、パネル１１Ｌ・１１Ｒ同士の間隙や、パネル１１Ｌ・１１Ｒと飾縁４０との間隙を閉塞し、光が屋内側Ｑに漏れ入ることのないようにするためのものである。
【００２９】
【発明の効果】
本発明は、以上のように構成したので、以下に示すような効果を奏する。
【００３０】
即ち、請求項１に示す如く、建物の屋内外を連通する開口部を有する部屋内に備えられた単数若しくは複数のパネルで構成される戸であって、パネルを部屋の床から天井までの高さと略同等の高さを備えたものとし、該パネルを開口部に嵌設されたサッシと略平行であって該開口部が形成された屋外側壁の内面に近接して配置するとともに、該サッシと略平行に移動可能としたので、必要に応じてパネルを展開することによって部屋の開口部に遮光性と遮音性を備えることができる。また、カーテンを省くことができ、サッシ部分を略密閉することができるので、断熱性を向上できる。また、パネルは天井部分と床部分で支えることができるので、安定して支持し、摺動も容易にできる。
【００３１】
請求項２に示す如く、前記内戸を構成するパネルを、開口部の屋内側の一側方であって該開口部と重複しない位置に積層した状態で収納可能としたので、小さいスペースでパネルを収納でき、開口を大きくすることができ、開口部の一部を閉じることもない。
【００３２】
請求項３に示す如く、前記内戸を構成する最も屋内側に位置するパネルの戸尻を、パネル面に対して略直交方向に屋外側に突出させ、該パネルを平面視Ｌ字状に形成したので、最も屋内側に位置するパネルを他のパネルの戸当たりとすることができ、また、最も屋内側に位置するパネルを戸袋として機能させることができる。さらに、パネルの周囲からの光漏れを抑えることができる。
【００３３】
請求項４に示す如く、前記内戸を構成するパネルを、屋内側面を化粧シート張りリブ形状材とし、屋外側面を化粧シート張りシート状スポンジ材とするフラッシュ戸としたので、パネルの屋内側面及び屋外側面にて吸音することができ、また、化粧シートにより所望の意匠を自在に備えることができる。
【図面の簡単な説明】
【図１】本発明に係る内戸の設置状況の一例を示す図。
【図２】本発明に係る内戸の構成を示す平面略図。
【図３】内戸を構成するパネルの側面断面図。
【図４】内戸を構成するパネルの平面断面図。
【図５】内戸を構成する最も屋内側に位置するパネルの平面断面図。
【図６】内戸を収納したときの様子を示す平面略図。
【図７】内戸の別実施例を示す図。
【図８】内戸の構成を示す平面略図。
【図９】（ａ）左側のパネルを示す平面断面図、（ｂ）右側のパネルを示す平面断面図。
【符号の説明】
１０  内戸
１１  パネル
１２  下レール
１３  開口部
１４  ガラス戸
１５  サッシ
３６  上レール
【図１】
2004270278.tif 000003
【図２】
2004270278.tif 000004
【図３】
2004270278.tif 000005
【図４】
2004270278.tif 000006
【図５】
2004270278.tif 000007
【図６】
2004270278.tif 000008
【図７】
2004270278.tif 000009
【図８】
2004270278.tif 000010
【図９】
2004270278.tif 000011